(57)【特許請求の範囲】
【請求項１】
構成脂肪酸としてω３系不飽和脂肪酸を０〜４０重量％含有するトリグリセリド２０〜９２．９重量％、モノグリセリド０．１〜３０重量％及び構成脂肪酸の１５〜９０重量％が炭素数２０未満のω３系不飽和脂肪酸であるジグリセリド５〜５９．９重量％を含有する油脂組成物。
【請求項２】
炭素数２０以下のω３系不飽和脂肪酸がα−リノレン酸である請求項１記載の油脂組成物。
【請求項３】
（ジグリセリド／モノグリセリド）≧１（重量比）であって、ＰＯＶが１０以下である請求項１又は２記載の油脂組成物。
【請求項４】
油脂組成物が、ＰＯＶ３以下、色（１０Ｒ＋Ｙ）２５以下、トリグリセリド４７〜８９．９重量％、モノグリセリド０．１〜２重量％、ジグリセリド１０〜５０重量％及び遊離脂肪酸（塩）１重量％以下であって、ジグリセリドの構成脂肪酸がα−リノレン酸３０〜７０重量％、オレイン酸１０〜５０重量％及びω６系不飽和脂肪酸５〜４０重量％で、かつ炭素−炭素２重結合を２個以上有する脂肪酸／（ω９系不飽和脂肪酸＋飽和脂肪酸）の含有重量比が１．２〜５、不飽和脂肪酸８０〜１００重量％であり、トリグリセリドの構成脂肪酸がω３系不飽和脂肪酸２５重量％以下、不飽和脂肪酸５５〜１００重量％で、全構成脂肪酸中炭素−炭素２重結合を４個以上有する脂肪酸が２重量％以下である請求項１〜３のいずれか１項記載の油脂組成物。
【請求項５】
油脂組成物が、ＰＯＶ１以下、色（１０Ｒ＋Ｙ）２０以下、トリグリセリド５３〜８４．９重量％、モノグリセリド０．１〜１．５重量％、ジグリセリド１５〜４５重量％及び遊離脂肪酸（塩）０．５重量％以下であって、ジグリセリドの構成脂肪酸がα−リノレン酸４０〜６５重量％、オレイン酸１２〜３０重量％、ω６系不飽和脂肪酸１０〜３０重量％で、かつ炭素−炭素２重結合を２個以上有する脂肪酸／（ω９系不飽和脂肪酸＋飽和脂肪酸）の含有重量比が１．５〜４、不飽和脂肪酸９０〜１００重量％であり、トリグリセリドの構成脂肪酸がω３系不飽和脂肪酸２０重量％以下、不飽和脂肪酸７０〜１００重量％で、全構成脂肪酸中、炭素−炭素２重結合を４個以上有する脂肪酸を含有しない請求項１〜３のいずれか１項記載の油脂組成物。
【請求項６】
植物ステロールを０．０５重量％以上含有する請求項１〜５のいずれか１項に記載の油脂組成物。
【請求項７】
請求項１〜６のいずれか１項に記載の油脂組成物を含有する食品。
【請求項８】
請求項１〜６のいずれか１項に記載の油脂組成物を含有する飼料。
【請求項９】
請求項１〜６のいずれか１項に記載の油脂組成物を含有する医薬品。
【請求項１０】
請求項１〜６のいずれか１項に記載の油脂組成物からなる調理油。
【請求項１１】
食品が、水中油型油脂含有食品である請求項７記載の食品。
【請求項１２】
食品が、油中水型油脂含有食品である請求項７記載の食品。
【請求項１３】
食品が、携帯性のある油脂含有食品である請求項７記載の食品。
【請求項１４】
食品が、ベーカリー食品である請求項７記載の食品。
【発明の詳細な説明】
【０００１】
【発明の属する技術分野】
本発明は、特定のグリセリド、脂肪酸組成を有する加熱安定性に優れ、体脂肪難蓄積作用を有し健康上非常に有用な油脂組成物に関する。
【０００２】
【従来の技術】
脂質（油脂）は、蛋白質、糖質とともに重要な栄養素で、特にエネルギー源として有用である。しかし、これは高カロリー（９Kcal/g）であり、肥満を助長し生活習慣病などの問題を引き起こす原因となる。脂質を多く使用した食事はおいしく、しかも現代人はこのような食事に慣れてしまっている。そのため飽食状態にある先進諸国においては、医療費の増大とあいまって、国家的な問題となっている。このような背景から、近年、特に健康の維持増進、疾病の予防治療に対する関心が高まり、脂質と肥満や生活習慣病との関連についての研究が数多く行われるようになってきた。
【０００３】
従来から行われてきている主な研究は、脂質の主成分であるトリグリセリドを構成する脂肪酸に関するものである。例えば、栄養学的に必須なものは、リノール酸、アラキドン酸及びリノレン酸であり、これらの脂肪酸は生体膜の構成成分或いはエイコサノイド（プロスタグランジン、トロンボキサン、ロイコトリエン等）の原料として生体内で利用されることが明らかとなっている。また、食餌中の飽和脂肪酸が血清コレステロール上昇作用を有し、ひいてはアテローム性動脈硬化或いは心疾患につながる可能性が高いこと（Lancet 2,959(1950)）、食餌中の高レベルの高リノール酸油が、実験動物の腫瘍発生率を増大させ、腫瘍サイズを上昇させること（J. National Cancer Institute, 66,517(1971)）が報告されている。高オレイン酸低飽和脂肪酸食が、ＨＤＬ−コレステロールを維持しつつＬＤＬ−コレステロールを低下させて心疾患をのリスクを低減させることが示されている（J. Lipid Res., 26,194(1985)、New England J. Medicine, 314,745(1988)）。魚油に含まれるエイコサペンタエン酸の血栓予防効果をはじめ、各種ω３系不飽和脂肪酸の生理活性にも注目が集まっている（Ann. Rev. Nutr., 8,517(1988)）。一方で、エイコサペンタエン酸やドコサヘキサエン酸には２重結合が多く酸化安定性に問題があること、エイコサペンタエン酸に抗凝血作用があることが指摘されている。また、これら脂肪酸の摂取バランスについても検討が行われ、飽和脂肪酸：モノ不飽和脂肪酸：多価不飽和脂肪酸比やω６系不飽和脂肪酸：ω３系不飽和脂肪酸比について推奨比率が提唱されるなど、数多くの研究報告が見られ、現在もなお研究が行われている（「油脂の栄養と疾病」幸書房、「第６次栄養所要量」厚生省）。
【０００４】
抗肥満という観点から、油脂代替物、非吸収性油脂の開発がなされてきており、なかでも代表的なものとして、脂肪酸ショ糖ポリエステル（米国特許第３６００１８６号）が挙げられる。これは体内で吸収されずに排泄されるため油脂由来のカロリーは０kcal/ｇである。しかしながら、肛門漏洩や脂溶性ビタミン吸収阻害等の問題が懸念されると共に、必須脂肪酸の供給源にはなりえない。この物質は、１９９６年、ＦＤＡより、一定量のビタミンＡ、Ｄ、Ｅ、Ｋを添加した融点３７．８℃〜７１．１℃の半固体もしくは固体の脂肪酸ショ糖ポリエステルを塩味スナック菓子のみに使用するという条件付きで、許可されている。これは、肛門漏洩防止及び、脂溶性ビタミン吸収阻害防止のためである。このほか、中鎖脂肪酸トリグリセリド（ＭＣＴ）が、体内で非蓄積性であるとして知られているが、加熱安定性に乏しい。共役リノール酸、魚油及びシソ油にも、類似の効果が開示されている（Lipids, 32, 853(1997)、J. Agric. Food Chem., 46, 1225(1998)）。
【０００５】
グリセリド構造に着目した、食用油組成物（日本特許第２０１０５５８号）、コレステロール低下剤（日本特許第２０３５４９５号）、血清トリグリセリド濃度低下剤（特開平４−３００８２５号公報）、体重増加抑制剤（特開平４−３００８２６号公報）、脂肪肝予防治療剤（特開平４−３００８２８号公報）、液状汎用型油脂組成物（特開平１０−１７６１８１号公報）等が開示されている。これらはジグリセリドの構造に由来する効果に着目したもので、肛門漏洩や脂溶性ビタミンの吸収阻害等がなく安全性には問題ないが、ジグリセリドの所有する効果を最大限に発揮したものではなかった。また、加工用食用油のように高温で長時間加熱する過酷な条件において、酸価（ＡＶ）がやや上昇しやすい傾向がある。
【０００６】
【発明が解決しようとする課題】
本発明の目的は、加熱安定性が良好で応用範囲が広く、しかも油脂による肥満を防止できる健康に十分配慮された非常に有用な油脂を提供することである。
【０００７】
【課題を解決するための手段】
本発明者は、特定の不飽和脂肪酸構成を有するジグリセリドを含有する特定の油脂組成物が、加熱安定性に優れ、体脂肪難蓄積作用、内臓脂肪難蓄積作用、インスリン抵抗性改善作用、血糖値低下作用、レプチン低下作用を有することを見い出した。
本発明は、トリグリセリド１０．１〜９４．９重量％、モノグリセリド０．１〜３０重量％及び、構成脂肪酸の１５〜９０重量％が炭素数２０未満のω３系不飽和脂肪酸であるジグリセリド５〜５９．９重量％を含有する油脂組成物を提供するものである。
【０００８】
【発明の実施の形態】
本発明で使用するジグリセリドの構成脂肪酸の１５〜９０重量％（以下単に％と記載する）、好ましくは２０〜８０％、更に好ましくは３０〜７０％、特に好ましくは４０〜６５％が炭素数２０未満のω３系不飽和脂肪酸であることを要する。ここでω３系不飽和脂肪酸は、ω位から３番目の炭素原子に最初の不飽和結合が位置し、且つ不飽和結合を２個以上有する不飽和脂肪酸である。具体的には、α−リノレン酸（all cis-9,12,15-オクタデカトリエン酸）、ステアリドン酸（all cis-6,9,12,15-オクタデカテトラエン酸）等が挙げられ、α−リノレン酸が特に好ましい。
ジグリセリドの残余の構成脂肪酸は、ω９系不飽和脂肪酸を１０〜６０％、好ましくは１０〜５０％、特に１２〜３０％含有すると、生理効果の発現が顕著で酸化安定性、脂肪酸の摂取バランスの点でよい。ω９系不飽和脂肪酸としては、炭素数１０〜２４、好ましくは１６〜２２のオレイン酸、エイコサモノエン酸、ドコサモノエン酸等が挙げられ、特にオレイン酸が好ましい。具体的な例を挙げると、生理活性発現の観点から、オレイン−オレインジグリセリドは４５％未満、より好ましくは４０％以下がよい。
【０００９】
更にジグリセリドの構成脂肪酸として、脂肪酸の摂取バランス、ω３系不飽和脂肪酸の生理活性効果発現の点から、リノール酸、γ−リノレン酸等の炭素数１８〜２２のω６系脂肪酸を２〜５０％、好ましくは５〜４０％、更に好ましくは１０〜３０％含有するのがよい。更に、酸化安定性、生理活性効果発現の点から、炭素−炭素２重結合を２個以上有する脂肪酸／（ω９系不飽和脂肪酸＋飽和脂肪酸）の含有重量比が０．７〜７．５、好ましくは１〜６、更に好ましくは１．２〜５、特に１．５〜４であることが好ましい。
【００１０】
ジグリセリドの構成脂肪酸の７０〜１００％、好ましくは８０〜１００％、更に好ましくは９０〜１００％が炭素数１０〜２４、好ましくは１６〜２２の不飽和脂肪酸であるのが生理活性発現の点でよい。
【００１１】
本発明の油脂組成物には、このようなジグリセリドが５〜５９．９％含有されるが、加熱安定性、生理活性発現の点で、好ましくは７〜５５％、更に好ましくは１０〜５０％、特に好ましくは１５〜４５％含有するのがよい。
【００１２】
本発明で使用するモノグリセリドの構成脂肪酸は、ジグリセリドと同じ構成脂肪酸であることが好ましい。
【００１３】
本発明の油脂組成物には、このようなモノグリセリドが０．１〜３０％含有されるが、風味マスキング効果、発煙、加熱安定性の点で、好ましくは０．１〜１０％、更に好ましくは０．１〜４％、特に好ましくは０．１〜２％、最も好ましくは０．１〜１．５％含有するのがよい。
【００１４】
ジグリセリドとモノグリセリドは、相対含有重量比がジグリセリド／モノグリセリド≧１、好ましくは１．５〜５００、特に好ましくは２〜２５０であるのが加熱安定性、発煙の点でよい。
【００１５】
トリグリセリドの構成脂肪酸として、生理活性発現の点で不飽和脂肪酸が５５〜１００％、好ましくは７０〜１００％、更に好ましくは８０〜１００％、特に好ましくは９０〜１００％であるのがよく、また酸化安定性、脂肪酸の摂取バランスの点から、ω３系不飽和脂肪酸を０〜４０％、好ましくは０〜３０％、更に好ましくは０〜２５％、特に好ましくは０〜２０％含有するのがよい。
【００１６】
本発明の油脂組成物には、このようなトリグリセリドが１０．１〜９４．９％含有されるが、風味マスキング効果、加熱安定性の点で、好ましくは２０〜９２．９％、特に好ましくは４７〜８９．９％、最も好ましくは５３〜８４．９％含有するのがよい。
【００１７】
油脂組成物の全構成脂肪酸中に、炭素−炭素２重結合を４個以上有する脂肪酸は１５％以下、好ましくは５％以下、特に２％以下が好ましく、実質的に含まないのが最良である。
【００１８】
上記ジグリセリドは、ω３系不飽和アシル基、モノエンアシル基等を含有するアマニ油、エゴマ油、シソ油、大豆油、ナタネ油等の加水分解反応、これら各種油脂とグリセリンとのエステル交換反応、かかる油脂由来の脂肪酸とグリセリンとのエステル化反応等任意の方法により得ることができる。反応方法は、アルカリ触媒等を用いた化学反応法、リパーゼ等の酵素を用いた生化学反応法のいずれでもよい。トリグリセリドは、大豆油、ナタネ油、パーム油、米油、コーン油、ヒマワリ油、紅花油、オリーブ油、ゴマ油等の植物油、ラード、牛脂、魚油等の動物油、あるいはそれらの硬化油、分別油、ランダムエステル交換油、エステル交換油等から得ることができる。
【００１９】
本発明の油脂組成物は、脱ガム、脱酸、脱色、水洗、脱臭等の精製を施して使用するのが加熱安定性、風味の点で好ましい。遊離脂肪酸（塩）が３．５％以下、好ましくは２．５％以下、更に好ましくは１．５％以下、特に好ましくは１％以下、最も好ましくは０．５％以下とするのがよい。また、過酸化物価（ＰＯＶ；日本油化学協会、基準油脂分析試験法2.5.2.1.）が１０以下、好ましくは７以下、更に好ましくは５以下、特に好ましくは３以下、最も好ましくは１以下とするのがよい。更に、ロビボンド法（日本油化学協会、基準油脂分析試験法2.2.1.1、５ 1/4インチガラスセル使用）による色（１０Ｒ＋Ｙ）が３５以下、好ましくは３０以下、更に２５以下、特に２０以下とするのがよい。
【００２０】
本発明の油脂組成物として、好ましい構成は、ＰＯＶ３以下、色（１０Ｒ＋Ｙ）２５以下、トリグリセリド４７〜８９．９％、モノグリセリド０．１〜２％、ジグリセリド１０〜５０％及び遊離脂肪酸（塩）１％以下であって、ジグリセリドの構成脂肪酸がα−リノレン酸３０〜７０％、オレイン酸１０〜５０％及びω６系不飽和脂肪酸５〜４０％で、かつ炭素−炭素２重結合を２個以上有する脂肪酸／（ω９系不飽和脂肪酸＋飽和脂肪酸）の含有重量比が１．２〜５、不飽和脂肪酸８０〜１００％であり、トリグリセリドの構成脂肪酸がω３系不飽和脂肪酸２５％以下、不飽和脂肪酸８０〜１００％で、全構成脂肪酸中炭素−炭素２重結合を４個以上有する脂肪酸２％以下である。
【００２１】
更に好ましくは、ＰＯＶ１以下、色（１０Ｒ＋Ｙ）２０以下、トリグリセリド５３〜８４．９％、モノグリセリド０．１〜１．５％、ジグリセリド１５〜４５％及び遊離脂肪酸（塩）０．５％以下であって、ジグリセリドの構成脂肪酸がα−リノレン酸４０〜６５％、オレイン酸１２〜３０％、ω６系不飽和脂肪酸１０〜３０％で、かつ炭素−炭素２重結合を２個以上有する脂肪酸／（ω９系不飽和脂肪酸＋飽和脂肪酸）の含有重量比が１．５〜４、不飽和脂肪酸９０〜１００％であり、トリグリセリドの構成脂肪酸がω３系不飽和脂肪酸２０％以下、不飽和脂肪酸が９０〜１００％で、全構成脂肪酸中、炭素−炭素２重結合を４個以上有する脂肪酸を含有しないものである。
【００２２】
本発明の油脂組成物において、更に植物ステロールを含有するのが好ましい。植物ステロールはコレステロール低下効果を有する成分であり、本発明の油脂組成物中の植物ステロールの含量は０．０５％以上、特に０．３％以上が好ましい。一般に市販されている蒸留して得られた脂肪酸を原料として製造した油脂組成物中の植物ステロール量は低下してしまう。このような場合には植物ステロールを０．０５％以上になるように添加するのが好ましく、０．０５〜１．２％の範囲にあればよい。通常の植物油以上のコレステロール低下を目的とする場合には１．２％以上適宜添加してもよい。ここで植物ステロールとしては、例えばα−シトステロール、β−シトステロール、スチグマステロール、カンペステロール、α−シトスタノール、β−シトスタノール、スチグマスタノール、カンペスタノール、シクロアルテノール等のフリー体、及びこれらの脂肪酸エステル、フェルラ酸エステル、桂皮酸エステル等のエステル体が挙げられる。
【００２３】
本発明の油脂組成物には、抗酸化剤も添加してもよく、抗酸化剤は通常、食品、医薬品に使用されるものであればいずれでもよいが、カテキン、トコフェロール、ビタミンＣ脂肪酸エステル、リン脂質、天然抗酸化成分の１種又は２種以上の組合せが好ましく、特にトコフェロール、カテキンが好ましい。ビタミンＣ脂肪酸エステルとしては、パルミチン酸エステル、ステアリン酸エステルが、天然抗酸化成分としては、ローズマリー等のハーブ、桃の葉や根塊からの抽出物等が挙げられる。抗酸化剤は本発明の油脂組成物に、０．０１〜５％、特に０．０５〜１％含有することが好ましい。
【００２４】
本発明の油脂組成物には、更に結晶抑制剤を添加するのが好ましい。
本発明で使用する結晶抑制剤としては、ポリグリセリン縮合リシノレイン酸エステル、ポリグリセリン脂肪酸エステル、ショ糖脂肪酸エステル、ソルビタン脂肪酸エステル、ポリオキシエチレンソルビタン脂肪酸エステル、プロピレングリコール脂肪酸エステル等のポリオール脂肪酸エステルが挙げられる。
またポリオール脂肪酸エステルは、ＨＬＢ（Griffinの計算式）が４以下、特に３以下のポリグリセリン脂肪酸エステル、ショ糖脂肪酸エステル、ソルビタン脂肪酸エステルが好ましい。
【００２５】
本発明の油脂組成物に、結晶抑制剤は０．０２〜０．５％、特に０．０５〜０．２％含有するのが低温での安定性改善の点で好ましい。
かくして得られた油脂組成物は、体脂肪難蓄積作用、血清トリグリセリド増加抑制作用、内臓脂肪難蓄積作用、体重増加抑制作用、肝機能改善作用、血糖値上昇抑制作用、インスリン抵抗性改善作用、レプチン増加抑制作用等の優れた生理活性を有し、更に加熱安定性に優れているため応用範囲が広く、風味も優れている。特にω３系不飽和アシル基が、ジグリセリドを構成するアシル基として存在しているため、遊離脂肪酸として存在する場合よりも、低濃度で作用し、速効性でかつ風味良好で安全である。かかる優れた特性を有するため、本発明の油脂組成物は食品、飼料及び医薬品に利用することができる。
【００２６】
食品としては、該油脂組成物を食品の一部として含有する油脂含有食品に用いることができる。かかる油脂含有食品としては、例えば特定の機能を発揮して健康増進を図る健康食品が挙げられる。具体的には、かかる油脂組成物を配合したカプセル剤、錠剤、顆粒剤、粉末剤、パン、ケーキ、クッキー、パイ、ピザクラスト、ベーカリーミックス等のベーカリー食品類、スープ類、ドレッシング、マヨネーズ、コーヒーホワイトナー、アイスクリーム、ホイップクリーム等の水中油型油脂含有食品、マーガリン、スプレット、バタークリーム等の油中水型油脂含有食品、ポテトチップス等のスナック菓子、チョコレート、キャラメル、キャンデー、デザート等の菓子、飲料、ソース、焼肉のたれ、ピーナツバター、フライショートニング、ベーキングショートニング、ドウ、エンローバー用油脂、フィリング用油脂、ハム、ソーセージ、ハンバーグ等の肉加工食品、麺、冷凍食品、レトルト食品、ルー、チーズ等が挙げられる。かかる油脂含有食品は、上記油脂組成物の他に、油脂含有食品の種類に応じて一般に用いられる食品原料を添加し製造することができる。本発明の油脂組成物の食品への配合量は、食品の種類によっても異なるが、一般に０．１〜１００％、更に１〜８０％、特に２〜８０％が好ましい。投与量は、油脂組成物として、１日当り０．２〜５０ｇ、更に１〜２５ｇ、特に２〜１５ｇを１〜数回に分けて投与することが好ましい。また天ぷらやフライ等の揚げ物用油、あるいは炒め物用油といった調理油等の食品素材として用いることができる。
【００２７】
なお、製剤調製の関係から、食品原料由来の油脂が含まれている場合は、食品原料由来の油脂と本発明の油脂組成物との比は、９５：５〜１：９９が好ましく、９５：５〜５：９５がより好ましく、更に８５：１５〜５：９５が、特に４０：６０〜５：９５が好ましい。
【００２８】
本発明の油脂組成物を、他の食品原料と配合し、加工した油脂含有食品として使用する場合の食品原料としては、次のものが挙げられる。食用油脂としては、天然の動植物油脂の他、それらにエステル交換、水素添加、分別等を施した加工油脂が挙げられる。好ましくは、大豆油、ナタネ油、米糠油、コーン油、パーム油、ヒマワリ油、紅花油、オリーブ油、ゴマ油、アマニ油、シソ油、魚油及びそれらの加工油脂が挙げられる。乳化剤としては卵蛋白質、大豆蛋白質、乳蛋白質、これらの蛋白質より分離される蛋白質、これら蛋白質の（部分）分解物等の各種蛋白質類、蔗糖脂肪酸エステル、ソルビタン脂肪酸エステル、ポリオキシエチレンソルビタン脂肪酸エステル、グリセリン脂肪酸モノエステル、ポリグリセリン脂肪酸エステル、ポリグリセリン縮合リシノレイン酸エステル、グリセリン有機酸脂肪酸エステル、プロピレングリコール脂肪酸エステル、レシチンあるいはその酵素分解物が挙げられる。安定剤としては、キサンタンガム、ジェランガム、グアーガム、カラギーナン、ペクチン、トラガントガム、コンニャクマンナン等の増粘多糖類や澱粉類が挙げられる。また、食塩、糖、食酢、調味料等の呈味料、スパイス、フレーバー等の香味料、着色料、トコフェロール、天然抗酸化成分等の抗酸化剤等が挙げられる。
【００２９】
本発明の油脂含有食品として好ましいものとして、次のものが挙げられる。
（１）水中油型油脂含有食品
油相と水相の重量比は、油相／水相＝１／９９〜９０／１０、好ましくは１０／９０〜８０／２０、特に３０／７０〜７５／２５が好ましい。また油相のＰＯＶは１０以下、好ましくは３以下、特に１以下が好ましい。油相中のジグリセリドの含有量は、５〜５９．９％、好ましくは１０〜５０％、特に１５〜４５％が好ましく、トリグリセリドの含有量は、１０．１〜９４．９％、好ましくは４７〜８９．９％、特に５３〜８４．９％が好ましく、ジグリセリドとモノグリセリドの含有量比は、ジグリセリド／モノグリセリドの比が１以上が好ましい。ジグリセリドの構成脂肪酸中のα−リノレン酸の含有量は、２０〜８０％、好ましくは３０〜７０％、特に４０〜６５％が好ましく、炭素−炭素２重結合を２個以上有する脂肪酸／（ω９系不飽和脂肪酸＋飽和脂肪酸）の含有量比は０．７〜７．５、好ましくは１．２〜５、特に１．５〜４が好ましい。トリグリセリドの構成脂肪酸中のω３系不飽和脂肪酸含有量は、４０％以下、好ましくは２５％以下、特に２０％以下が好ましい。植物ステロールは、０〜１０％、好ましくは１〜７％、特に２〜５％が好ましい。乳化剤は、０．０１〜５％、特に０．０５〜３％が好ましい。安定化剤は０〜５％、特に０．０１〜２％が好ましい。pHは、１．０〜７．０、好ましくは２．０〜６．０、特に３．０〜５．０が好ましく、食酢、クエン酸等の有機酸（又はその塩）、レモン果汁、燐酸（塩）等の無機酸（塩）等で調整することができる。
【００３０】
これらの材料を用いて、常法によりドレッシング、マヨネーズ、コーヒーホワイトナー、アイスクリーム、ソース、スープ、飲料等の水中油型油脂含有食品を調製することができる。
【００３１】
（２）油中水型油脂含有食品
水相と油相の重量比は、水相／油相＝９０／１０〜１／９９、好ましくは８０／２０〜１０／９０、特に７０／３０〜３５／６５が好ましい。油相のＰＯＶは１０以下、好ましくは３以下、特に１以下が好ましい。油相中のジグリセリドの含有量は、５〜５９．９％、好ましくは１０〜５０％、特に１５〜４５％が好ましく、トリグリセリドの含有量は、１０．１〜９４．９％、好ましくは、４７〜８９．９％、特に５３〜８４．９％が好ましく、ジグリセリドとモノグリセリドの含有量比は、ジグリセリド／モノグリセリドの比が１以上が好ましい。ジグリセリドの構成脂肪酸中のα−リノレン酸の含有量は、２０〜８０％、好ましくは３０〜７０％、特に４０〜６５％が好ましく、炭素−炭素２重結合を２個以上有する脂肪酸／（ω９系不飽和脂肪酸＋飽和脂肪酸）の含有量比は、０．７〜７．５、好ましくは１．２〜５、特に１．５〜４が好ましい。トリグリセリドの構成脂肪酸中のω３系不飽和脂肪酸の含有量は、４０％以下、好ましくは２５％以下、特に２０％以下が好ましい。植物ステロールは、０〜１０％、好ましくは１〜７％、特に２〜５％が好ましい。また乳化剤は０．０１〜５％、特に０．０５〜３％が好ましい。
これらの材料を用いて、常法によりマーガリン、スプレッド等の油中水型油脂含有食品を調製することができる。
【００３２】
（３）携帯性のある油脂含有食品
油脂含有量は１〜３０％、特に１〜２０％が好ましく、油脂のＰＯＶは１０以下、好ましくは３以下、特に１以下が好ましい。該油脂中のジグリセリドの含有量は５〜５９．９％、好ましくは１０〜５０％、特に１５〜４５％が好ましく、トリグリセリドの含有量は１０．１〜９４．９％、好ましくは４７〜８９．９％、特に５３〜８４．９％が好ましく、ジグリセリドとモノグリセリドの含有量比は、ジグリセリド／モノグリセリド比が１以上が好ましい。また、ジグリセリドの構成脂肪酸中のα−リノレン酸の含有量は２０〜８０％、好ましくは３０〜７０％、特に４０〜６５％が好ましく、炭素−炭素２重結合を２個以上有する脂肪酸／（ω９系不飽和脂肪酸＋飽和脂肪酸）の含有量比は、０．７〜７．５、好ましくは１．２〜５、特に１．５〜４が好ましい。トリグリセリドの構成脂肪酸中のω３系不飽和脂肪酸の含有量は４０％以下、好ましくは２５％以下、特に２０％以下が好ましい。植物ステロールは０〜２０％、好ましくは１〜２０％、特に２〜１５％が好ましい。蔗糖、グルコース、フルクトース、マルトース、キシリトール、ソルビトール、エリスリトール、澱粉等の糖質は４０〜９９％、また炭酸水素ナトリウム等の膨張剤と酒石酸、フマル酸、クエン酸等の酸性剤からなる炭酸発泡剤は０〜２０％、特に１〜１０％が好ましい。
これらの材料を用いて、常法により錠菓、キャンデー、キャラメル、グミ等の携帯性のある油脂含有食品を調製することができる。特に炭酸発泡剤の使用により、口溶け性が改善される。
【００３３】
（４）ベーカリー食品
油脂含有量は１〜４０％、特に５〜３５％が好ましく、油脂のＰＯＶは１０以下、好ましくは３以下、特に１以下が好ましい。該油脂中のジグリセリドの含有量は５〜５９．９％、好ましくは１０〜５０％、特に１５〜４５％が好ましく、トリグリセリドの含有量は１０．１〜９４．９％、好ましくは４７〜８９．９％、特に５３〜８４．９％が好ましく、ジグリセリドとモノグリセリドの含有量比は、ジグリセリド／モノグリセリド比が１以上が好ましい。また、ジグリセリドの構成脂肪酸中のα−リノレン酸の含有量は２０〜８０％、好ましくは３０〜７０％、特に４０〜６５％が好ましく、炭素−炭素２重結合を２個以上有する脂肪酸／（ω９系不飽和脂肪酸＋飽和脂肪酸）の含有量比は０．７〜７．５、好ましくは１．２〜５、特に１．５〜４が好ましい。トリグリセリドの構成脂肪酸中のω３系不飽和脂肪酸の含有量は４０％以下、好ましくは２５％以下、特に２０％以下が好ましい。植物ステロールは０〜２０％、好ましくは１〜２０％、特に１〜１５％が好ましい。小麦粉は１０〜７０％、特に２０〜６０％が好ましい。鶏卵の全卵、卵黄、卵白、これらの分離物、これらの分解物のいずれか１種以上を０〜３０％、特に５〜２５％を含有するのが好ましい。食塩は０〜２％、特に０．１〜１％が好ましい。また糖質は０〜２５％、ベーキングパウダーは０〜１％含有するのが好ましい。
これらの材料を用いて、常法によりパン、ケーキ、クッキー等のベーカリー食品を調製することができる。
【００３４】
医薬品としては、例えば散剤、顆粒剤、カプセル剤、丸剤、錠剤等の固形製剤、水剤、懸濁剤、乳剤等の液剤、ゲル剤等の経口投与剤が挙げられる。この経口投与剤は、上記油脂組成物の他、経口投与剤の形態に応じて一般に用いられる、賦形剤、崩壊剤、結合剤、滑沢剤、界面活性剤、アルコール類、水、水溶性高分子、甘味料、矯味剤、酸味料等を添加し製造することができる。経口投与用医薬品としては、血小板凝集抑制剤等が挙げられる。本発明の油脂組成物の経口投与用医薬品への配合量は、医薬品の用途及び形態によっても異なるが、一般に０．１〜１００％、更に１〜８０％、特に５〜８０％が好ましい。また、投与量は、油脂組成物として、１日当たり０．２〜５０ｇ、更に１〜２５ｇ、特に２〜１５ｇを、１〜数回に分けて投与することが好ましい。
【００３５】
飼料としては、例えば牛、豚、鶏、羊等に用いる家畜用飼料、ウサギ、ラット、マウス等に用いる小動物用飼料、ウナギ、タイ、ハマチ、エビ等に用いる魚介類用飼料、犬、猫、小鳥、リス等に用いるペットフードが挙げられる。本発明の油脂組成物の飼料への配合量は飼料の用途等によっても異なるが、一般に１〜３０％、特に１〜２０％が好ましい。
【００３６】
【実施例】
実施例１
次の油脂組成物を製造した。分析結果を表１に示す。
油脂組成物１
エゴマ油（太田油脂（株））４００重量部、グリセリン８４重量部及びナトリウムメチラート０．２重量部を窒素ガス雰囲気下で、２２０℃、１．５時間反応を行った。その後、シリカゲルカラムクロマトグラフィーで分画を行った（溶出溶媒：ヘキサン−酢酸エチル混合液（最初１００：０、次に９０：１０、その次８０：２０、最後７０：３０））。次いで、溶媒を留去後、各画分を再混合して油脂組成物１を得た。
【００３７】
油脂組成物２
エゴマ油脂肪酸６５０重量部とグリセリン１０７重量部をリポザイムＩＭ（ノボ・ノルディスクバイオインダストリー社）を使用して、０．０７ｈＰａで４０℃、６時間エステル化を行った。その後、２１５℃で分子蒸留し、次いで脱色、水洗し２１５℃２時間脱臭した。得られた油脂組成物２０重量部に、ナタネ白絞油８０重量部を加えて油脂組成物２を得た。
【００３８】
油脂組成物３
エゴマ油脂肪酸３２５重量部、ハイオレイックサフラワー油脂肪酸３２５重量部、及びグリセリン１０７重量部を、油脂組成物２の製造と同様にエステル化を行った（但し、反応時間５時間）。次いで、分子蒸留及び水洗をした後に、２１５℃で２時間脱臭して油脂組成物３を得た。
【００３９】
油脂組成物４
ナタネ油脂肪酸６５０重量部とグリセリン１０７重量部をリポザイムＩＭを使用して、０．０６７ｈＰａで４０℃、５時間エステル化を行った。次いで２３５℃で分子蒸留し、水洗した後２３５℃１時間脱臭して油脂組成物４を得た。
【００４０】
油脂組成物２ａ
油脂組成物２を１００重量部、トコフェロール（ミックスビタミンＥ、ＭＤＥ−６０００：八代（株））を０．０２重量部、カテキン（サンカトールＮｏ．１：太陽化学（株））を０．１重量部、ローズマリー抽出物（ハーバロックスタイプＨＴ−Ｏ抽出物：カルセック（株））を０．２５重量部、植物ステロール（タマ生化学）を０．０５重量部及びＴＨＬ−３（ポリグリセリン脂肪酸エステル、ＨＬＢ＝１：阪本薬品工業（株））を０．１重量部を混合し油脂組成物２ａを製造した。
【００４１】
油脂組成物２ｂ
油脂組成物２を１００重量部、トコフェロールを０．０２重量部、カテキンを０．１重量部、ＴＨＬ−３を０．１重量部混合し、油脂組成物２ｂを製造した。
【００４２】
油脂組成物２ｃ
油脂組成物２を１００重量部、トコフェロールを０．０２重量部、カテキンを０．１重量部、ＶＣＰ（ビタミンＣパルミテート：ロッシュ社）を０．０２重量部、植物ステロールを０．３重量部及びＴＨＬ−３を０．１重量部を混合し、油脂組成物２ｃを製造した。
【００４３】
油脂組成物２ｄ
油脂組成物２を１００重量部、トコフェロールを０．０２重量部、ＶＣＰを０．０２重量部及び植物ステロールを２重量部を混合して、油脂組成物２ｄを製造した。
【００４４】
【表１】
0004031219.tif 000002
【００４５】
実施例２
調製した油脂組成物（油脂組成物１００重量部にトコフェロール０．０２重量部を溶解したもの）２０ｇを直径２０mmの試験管に入れた。これを１８０℃に加熱し、ステンレス管を通して蒸留水を０．１mL／分の速度で強制的に添加し、６時間後の酸価上昇値を測定した。酸化（ＡＶ）は、日本油化学協会、基準油脂分析試験法2.3.1の方法で測定した。その結果を表２に示す。
【００４６】
【表２】
0004031219.tif 000003
【００４７】
本発明の油脂組成物１〜３はいずれも加熱安定性に優れていた。
【００４８】
実施例３
Ｃ５７ＢＬ／６Ｊ雄性マウス７週齢を７群に分け、組成の食餌（表３）を５ヶ月間連続投与した後、体重を測定した。次いで、エーテル麻酔下で腹部大動脈から採血し、血糖値、インスリン、レプチンを測定した。その結果を比較１を１００とした値で表３に示す。
【００４９】
血糖値測定法：グルコーステストワコー（和光純薬製）
インスリン測定法：インスリン測定キット（森永生科学研究所製）
レプチン測定法：マウスレプチン測定キット（森永生科学研究所製）
【００５０】
【表３】
0004031219.tif 000004
【００５１】
本発明の油脂組成物はいずれも血糖値低下作用、インスリン抵抗性改善作用、レプチン低下作用が優れていた。
【００５２】
実施例４
成人男子２名が、食用油として油脂組成物２を食用油（調理油）として通常の料理に用いて、１２ヶ月間摂取した。油脂組成物２の摂取量は、日本人成人の食用油平均摂取量と同程度の１２．３ｇ／人／日であった。試験前後のＢＭＩ、体脂肪率等の測定結果を表４に示す。いずれの項目にも、低下傾向が認められた。
体脂肪率測定法：インピーダンス法
内臓脂肪測定法：ＣＴスキャン法
皮下脂肪測定法：ＣＴスキャン法
【００５３】
【表４】
0004031219.tif 000005
【００５４】
実施例５
ＡＬＡ−ＤＡＧを種々の量配合した食用油で実施した。被験物質はα−リノレン酸を４９％含有するＡＬＡ−ＤＧを用いた（表５）。ＡＬＡ−ＤＧはアマニ油（吉原製油）を用いBirgitte等（JAOCS,65,905(1988)）の方法により固定化リパーゼの存在下で調製した。平成１０年国民栄養調査による食用油の平均摂取量を考慮し、食用油として１日に摂取する１０ｇの中にＡＬＡ−ＤＧを混合した。摂取１群では、試験油１０ｇ中にＡＬＡ−ＤＧ２．５ｇとナタネ油７．５ｇを混合した食用油（2.5g 油）を使用し、摂取２群ではＡＬＡ−ＤＧ３．７５ｇとナタネ油６．２５ｇを混合した食用油（3.75g 油）を使用した。コントロール群ではナタネ油（日清製油）とエゴマ油（太田油脂）を混合して摂取１群で使用した油と脂肪酸組成をそろえたトリグリセリドのみの食用油（コントロール油）を使用した（表６）。被験物質の摂取は、各食用油を用いて調製したショートブレッド、マヨネーズ、ドレッシング、スープの形態で行った。コントロール群（TG）、摂取１群（ALA-DG 2.5g）及び摂取２群（ALA-DG 3.75g）の３群で試験を行った。
【００５５】
【表５】
0004031219.tif 000006
【００５６】
【表６】
0004031219.tif 000007
【００５７】
本試験は医師の監督のもと、社内臨床試験倫理委員会の了承を得た上で、ヘルシンキ宣言の精神に則り十分な配慮の下に実施した。
被験者は、平均年齢３５．７歳、平均ＢＭＩ ２３．３（kg/m2）の健常成人の男子６６名（花王従業員）を対象とした。
【００５８】
ＢＭＩがほぼ同一となるように３群に分け、ナタネ油（10g/日）を含むコントロール試験食を４週間摂取した後、１２週間の二重盲検法（double blind test）摂取試験を行った。被験物質を摂取する時間は指定しなかった。平成１０年国民栄養調査（国民栄養の現状、第一出版、平成12年）による平均総摂取量を考慮し、渡辺らの方法（J. Jpn Oil Chem.Soc.47,47-54(1998)）に従って全期間を通じて、試験食を含めた１日当たりの総摂取油量を５０±５ｇにした。試験開始前の各群の身体データを表７に示した。
【００５９】
試験の開始前に全被験者に対して四訂日本食品標準成分表（女子栄養大学出版部、平成12年）に基づき、エネルギー及び脂質の摂取量を把握できるように教育を行った。また管理栄養士指導のもと、平日の昼食では全食事メニューにエネルギー及び脂質量の明示を行い、平日の夕食にはエネルギー及び脂質量を明示した定食を提供した。休日の食事は四訂日本食品標準成分表によって食事中の脂質量、エネルギーを把握した素材を被験者が検討して摂取するよう指導した。試験期間中の酒類はアルコール量としてビール大瓶１本（633mL）相当以下に制限した。被験者には毎日の食事及び間食の内容を食事日誌に記録させた。食事内容は四訂日本食品標準成分表を用いて解析した。また試験期間中は運動量を試験前と同様に保つように指導した。
【００６０】
【表７】
0004031219.tif 000008
【００６１】
測定：
皮下脂肪厚、体脂肪率測定
皮下脂肪厚は竹井機器工業（株）社製ファット・オー・メーターにて上腕伸展側中間部及び背部肩甲骨下端部の２点をキャリパー法により測定した（健康・栄養情報研究会編、(1995)国民栄養の現状（平成５年国民栄養調査結果）、第一出版）。
【００６２】
腹部ＣＴスキャン撮影
臍部横断及び脾臓と肝臓が同一断面となる位置にてＣＴスキャン撮影を行った。
Tokunaga等の方法（I. Obes., 7, 437(1983)）に従いＣＴ像より全脂肪面積、内臓脂肪面積及び皮下脂肪面積を求めた。両面積よりＶ／Ｓ比（内臓脂肪面積／皮下脂肪面積）を算出した（ホルモンと臨床、夏季増刊号、35(1990)；体力研究，77, 131(1991)）。また、加藤等の方法（肝臓，25, 1097(1984)）に従い肝臓及び脾臓のＣＴ値比を求めた。ＣＴ撮影では東芝メディカル（株）TCT-300、東芝ＸビジョンＲＩＡＬ、日立メディコPRATICOを使用した。
なお、データは平均±ＳＥで表した。身体データは試験開始時の値を１００とし相対値にて示した。各群における試験開始時の値と各測定時での値との比較にはpaired t-検定を用い、群間比較には、t-検定を用いた。
【００６３】
身体測定（表８）では、全試験食群において試験開始初期値に対しウエスト、ヒップ周囲長、皮下脂肪厚、皮下脂肪面積の有意な減少及び肝臓ＣＴ値／脾臓ＣＴ値（ＣＴ比）の有意な増加、すなわち肝脂肪の低下を認めた。更に摂取１及び摂取２では、試験開始初期値に対し内臓脂肪面積及び皮下脂肪面積の明らかな減少が認められ、この減少は対照群に対し有意な差が認められた。
【００６４】
【表８】
0004031219.tif 000009
【００６５】
実施例６
動物及び飼育方法
本試験は、花王株式会社動物管理委員会及び動物倫理委員会の承認・管理の下に実施した。動物はＣ５７ＢＬ／６Ｊマウス（７週齢、♂、日本クレア（株）：東京）を用い、室温２３±２℃、湿度５５±１０％、照明時間７：００〜１９：００の環境下で飼育した。搬入後７日間の馴化の後に体重測定を行い、各試験群の平均体重がほぼ同一となるように分けた（n＝5/群）。試料は自由摂食、水は自由摂水とした。給餌にはローデンカフェ（オリエンタル酵母工業（株）：東京）用い、２日毎に新しい飼料に交換した。なお、４週間に１回、試験群（n＝5/cage/群）ごとに２４時間当たりの摂餌量の測定を行い、摂取エネルギー量を求めた。本条件下で、２０週間飼育した。
【００６６】
被験物質及び飼料原料
ＡＬＡ−ＤＧは、シソ油からBrgitteらの方法（JAOCS, 65, 905(1998)）により固定化リパーゼの存在下で調製した。ＡＬＡ−ＤＧ及びサフラワー油、ナタネ油混合油（SR-oil）の組成を表９に示す。ＳＲ−oilでは、オレイン酸、リノール酸がそれぞれ２９．１％、５７．８％と構成脂肪酸の主体を占めるのに対し、ＡＬＡ−ＤＧでは構成脂肪酸中α−リノレン酸が６０．８％を占める。ＡＬＡ−ＤＧのグリセリド中に占めるＤＧ及びＴＧ含量は、それぞれ８５．２％、１４．１％であり、ＤＧにおける１，３−型と１，２−型の比率は約７：３であった。ラード、蔗糖、カゼイン、セルロース、ミネラル、ビタミン、α−ポテト澱粉はオリエンタル酵母工業（株）より、サフラワー油、ナタネ油は日清製油（株）より購入した。
【００６７】
【表９】
0004031219.tif 000010
【００６８】
測定：
体重測定及び内臓脂肪重量・肝臓重量測定
試験期間中、毎週体重測定を行った。試験終了時に１２時間絶食条件下で動物をエーテル麻酔後、放血殺した。次いで解剖し、各部の内臓脂肪重量（副睾丸周囲脂肪、腸間膜脂肪、後腹膜脂肪、腎周囲脂肪）及び肝臓重量を測定した。
【００６９】
飼料の組成及びエネルギー量を表１０に示す。
【００７０】
【表１０】
0004031219.tif 000011
【００７１】
低脂肪食(LF)は飼料中に脂質５％を含有するのに対し、高脂肪食 (HF)は脂質３０％及びSucrose１３％を含有する。飼料１００ｇ当たりのエネルギー量は、ＬＦが３９９．７Kcal、ＨＦが５２２．２Kcalであり、ＨＦはＬＦに比較し約３０％高いエネルギー量を有する。ＡＬＡ−ＤＧ置換飼料はＨＦのＳＲ−ｏｉｌ３％を３％のＡＬＡ−ＤＧで置換して作製した（全脂肪の10％置換）。なお、各飼料は２日分ずつ遮光袋に分包し、窒素封入後、４℃にて保存した。
【００７２】
体重は、初期値において、各試験群間に有意差は認められなかった
（表１１）。各試験群とも２０週目に体重増加を認めた。ＡＬＡ−ＤＧ置換群では、ＨＦ群に対する体重増加抑制が見られ、２０週目の体重、体重増加量においてＨＦ群との間に有意差を認めた。なお、試験期間中の摂取エネルギー量は、ＬＦ群との間にＨＦ群及びＡＬＡ−ＤＧ置換群で有意差を認めたものの、ＨＦ群とＡＬＡ−ＤＧ置換群との間には有意差を認めなかった。
【００７３】
内臓脂肪重量に関してはＡＬＡ−ＤＧ置換群においては、腸間膜脂肪重量、後腹膜脂肪重量及び腎周囲脂肪重量でＨＦ群に比較して有意な低値を認めた（表１１）。
肝臓重量に関しては、ＨＦ群及びＡＬＡ−ＤＧ置換群においてＬＦ群に比較して有意な高値を認めたが、ＨＦ群とＡＬＡ−ＤＧ置換群との間には有意差を認めなかった（表１１）。
【００７４】
【表１１】
0004031219.tif 000012
【００７５】
実施例７  スクランブルエッグ
全卵１００ｇに食塩０．５ｇと胡椒０．１ｇを入れ、はしで良くときほぐし、フライパン（２４cm）に本発明の油脂組成物２ａを５ｇ入れて火にかけた（都市ガス流量２．２Ｌ／分）。３０秒後に、先にときほぐした卵をフライパンに入れ、はしでかき回しながら２０秒間加熱しスクランブルエッグを調理した。
【００７６】
実施例８  ソフトカプセル
３００mgの本発明の油脂組成物２ｃを、オーバル型のソフトカプセルに封入し、ソフトカプセル剤を調製した。
【００７７】
実施例９  錠剤
下記の組成の成分を混合し、２００mg／個の錠剤を打錠して製造した。
錠剤組成：本発明の油脂組成物２ｄ              １０．０％
コーンスターチ                      ４４．０
結晶セルロース                      ４０．０
カルボキシメチルセルロースカルシウム  ５．０
無水ケイ酸                            ０．５
ステアリン酸マグネシウム              ０．５
【００７８】
実施例１０  分離状ドレッシング
ワインビネガー（中埜酢店製造）２５重量部に、食塩１．２５重量部、胡椒０．３重量部、マスタード０．２５重量部を混合し、更に本発明の油脂組成物２ｂを４５重量部添加して分離液状ドレッシングを調製した。
【００７９】
実施例１１  マヨネーズ
組成：
本発明の油脂組成物２ｂ                        ６５．０％
卵黄                                          １５．０
食酢（酸度１０％）                              ７．０
上白糖                                          １．０
グルタミン酸ナトリウム                          ０．４
食塩                                            ０．３
マスタード（粉末）                              ０．３
増粘剤（キサンタンガム）                        ０．２
水                                            １０．８
ホモミキサーで本発明の油脂組成物２ｂ以外の成分を撹拌混合した後、油脂組成物２ｂを滴下して予備乳化した。得られた予備乳化物をホモミキサーで更に均質化して、マヨネーズを調製した(pH４．０)。
【００８０】
実施例１２  スプレッド
（油相）
本発明の油脂組成物１                          ３３．３８重量部
パーム硬化油（IV＝２）                          ４．０
大豆硬化油（IV＝４３）                          ２．０
モノグリセリド                                  ０．５
フレーバー                                      ０．１
ビタミンＥ                                      ０．０２
（水相）
蒸留水                                        ５８．４重量部
脱脂粉乳                                        ０．３
食塩                                            １．３
上記油相と水相を調製し、次いでホモミキサーにより混合・乳化後、得られた乳化物を常法により急冷して可塑化することにより、スプレッドを調製した。
【００８１】
実施例１３  錠菓（タブレット）
キシリトール                                  ２８．４重量部
ソルビトール                                  ５６．９
本発明の油脂組成物２ｂ                          ２．５
植物ステロール（タマ生化学）                    ２．５
フレーバー（ジンジャーオイル）                  １．２
クエン酸                                        ３．０
炭酸水素ナトリウム                              ５．０
着色料（ウコン粉末）                            ０．５
原料を混合した後、乳鉢にてすりつぶした。これを常法に従い、２ｇずつ打錠機にて打錠し（24.5MPa、４秒）、錠菓（タブレット）を製造した。
【００８２】
実施例１４  ショートブレッド
薄力粉                                      ３５０重量部
強力粉                                      １５０
上白糖                                      １５０
全卵                                        １２５
本発明の油脂組成物２ｂ                      ２００
食塩                                            ２．５
上白糖、食塩、本発明の油脂組成物２ｂをボールに入れ、ホバートミキサーにて撹拌した。これに全卵を徐々に加え、ホバートミキサーで再度撹拌した。予め混合しておいた薄力粉と強力粉を３回に分けて加え、更にホバートミキサーで撹拌した。調製した生地を２５ｇずつ小分けし、金属製型枠に詰めた。これをオーブンで焼成（１６０℃、５０分）後、型枠から外し、放冷してショートブレッドを製造した。
【００８３】
実施例１５  ブリオッシュ
強力粉                                      １００重量部
全卵                                          ５０
本発明の油脂組成物２ｂ                        ３０
上白糖                                        １５
水                                            １５
イースト                                        ５
イーストフード                                  ０．１
脱脂粉乳                                        ４
食塩                                            ２
本発明の油脂組成物２ｂ以外の原料を混合し、ミキサーにて低速３０秒間ミキシングを行った。次いで油脂組成物２ｂを加え、ミキシングを行った（低速５分間、中速２２分間）。得られた生地を２７℃で３０分間発酵させ、更に５℃にて１５分間低温発酵を行った。この生地を３７ｇずつに分割し、丸型に成型した。これを３３℃で６０分間発酵させた後、オーブンで焼成して（１９０℃、９分間）、ブリオッシュを製造した。
【００８４】
【発明の効果】
加熱安定性に優れ、体脂肪難蓄積作用、内臓脂肪難蓄積作用、血糖値低下作用、インスリン、抵抗性改善作用、レプチン低下作用を有し、医薬用途の他に、糖尿病、肥満の予防、治療用食品、飼料としても有用である。